Podtech/llm-jp-corpus-v4-ja_patent huggingface dataset:
(57)【要約】 【課題】買い物バッグは、市民の環境に対する意識向上により、その利用が増えている。今後、より一層利用者が拡大し、一般廃棄物の減少や地球温暖化防止対策に寄与する為にも、使用に関して充分な強度を持つ買い物バッグを必要としていた。【解決手段】領収書などを入れる透明又半透明素材のポケットを買い物バッグに配置し、その上下左右に充分な補強処理を行うことにより、外見より購入商品であることを明示できるポケットを長期にわたり使用できるものとした。【選択図】  図１
0003125477.tif 000002
【実用新案登録請求の範囲】
【請求項１】
生地又はフィルムを利用した袋を本体とし、テープを側面に連続した状態の取っ手として取り付けた買い物バッグに、少なくとも片面以上に透明又は半透明のポケットの左右をテープに縫込み、上下部分が生地又はフィルムで補強されている補強ポケット付買い物バッグ
【請求項２】
生地又はフィルムを利用した袋を本体とし、テープを側面に連続した状態の取っ手として取り付けた買い物バッグに、少なくとも片面以上の透明又は半透明のポケットの左右をテープに縫込み、上部分が生地又はフィルムで補強されている補強ポケット付買い物バッグ
【請求項３】
生地又はフィルムを利用した袋を本体とし、テープを取っ手として取り付けた買い物バッグに、少なくとも片面以上に透明又は半透明のポケット左右及び上下部分が生地又はフィルムで補強されている補強ポケット付買い物バッグ
【請求項４】
生地又はフィルムを利用した袋を本体とし、テープを取っ手として取り付けた買い物バッグに、少なくとも片面以上の透明又は半透明のポケット左右及び上部分が生地又はフィルムで補強されている補強ポケット付買い物バッグ
【考案の詳細な説明】
【技術分野】
【０００１】
本新案は、利便性向上を図った買物袋に関する。
【背景技術】
【０００２】
提供されている買物袋には、透明のポケットが付いているものがある。しかし、頻度の高い利用をした場合、透明又は半透明ポケットが、破損しやすい。
【考案の開示】
【考案が解決しようとする課題】
【０００３】
買い物バッグは、消費者の環境意識向上により、利用が拡大している。利用者が、購入前商品を持っているのか、購入後の商品を持っているのか外見では判断が難しい。そのため、領収書を外見から判断するポケットの必要が増えていると同時に、その強度は、繰り返し利用する為に充分な強度を持つ必要がある。
【課題を解決するための手段】
【０００４】
（１）を本体とし、買い物バッグのハンドル部分から底部分まで連続して伸びる２本のテープ（２）を作成する。１面以上の（２）に挟まれる部分に（３）を用い（Ｂ）の縫製を行う。（３）の素材左右は、上記２本のテープとの縫製により補強される。（３）の上下部分は、（４）により（Ａ）を行い補強処理を行う。（図１及び図２により表示する。）
【０００５】
（１）を本体とし、買い物バッグのハンドル部分から底部分まで連続して伸びる２本のテープ（２）を作成する。１面以上の（２）に挟まれる部分に（３）を用い（Ｂ）の縫製を行う。（３）の素材左右は、上記２本のテープとの縫製により補強される。（３）の上部分は、（４）により（Ａ）を行い補強処理を行なう。下部は、通常の縫製を行う。（図３及び図４により表示する。）
【０００６】
（１）を本体とし（２）のテープを取っ手として取り付けた買い物バッグの１面以上に、（３）と（４）を用い上下部分と左右部分に（Ａ）の縫製を行い補強する。（図５及び図６により表示する。）
【０００７】
（１）を本体とし（２）のテープを取っ手として取り付けた買い物バッグの１面以上に、（３）と（４）を用い上部分と左右部分（Ａ）の縫製を行い補強する。下部は、通常の縫製を行う。（図７及び図８により表示する。）
【０００８】
（Ａ）の方法については、（４）を二つ折り又は四つ折りにし、（３）をはさみ縫製する。（Ａ）により箇所を表示する。
【０００９】
（Ｂ）の方法については、（２）のテープに（３）をはさみ縫製する。（Ｂ）により箇所を表示する。
【考案の効果】
【００１０】
左右及び上下に補強したポケットを作ることで、領収書、カードを一日何回も出し入れをする作業に耐えうる買い物バッグのポケットを提供できる。上記の補強した買物バッグは、毎日の実利用に使用できるため一般廃棄物の減少及び市民の環境意識向上に大きく寄与できるものとして期待される。
【考案を実施するための最良の形態】
【００１１】
野菜などを入れる大きさのバッグ、冷凍や保冷商品を入れる保冷バッグ、少量の購入に利用するバッグ、折りたたみ他のバッグに入れ持ち運ぶことの出来るバッグ
【実施例】
【００１２】
野菜、肉、魚、日用品を入れる大きさのバッグ（図１により表示する）、冷凍や保冷商品を入れる保冷バッグ（図９、図１０により表示する）、少量の購入、牛乳パックに利用するバッグ、折りたたみ他のバッグに入れ持ち運ぶことの出来るバッグ
【産業上の利用可能性】
【００１３】
平成１８年７月から生産します。
【図面の簡単な説明】
【００１４】
【図１】買い物バッグの全体図
【図２】（図１）のポケット拡大図
【図３】買い物バッグの全体図
【図４】（図３）のポケット拡大図
【図５】買い物バッグの全体図
【図６】（図５）のポケット拡大図
【図７】買い物バッグの全体図
【図８】（図７）のポケット拡大図
【図９】冷凍や保冷商品を入れる保冷バッグ
【図１０】（図９）の断面図
【符号の説明】
【００１５】
１  バッグの生地又はフィルム素材
２  バッグのハンドル部分又は、持ち手から底部まで連続するテープ
３  （２）に挟まれた部分又はポケットとして使用する透明又半透明の素材
４  （３）の上部と下部と右部と左部に必要に応じ、補強の為使用する生地又はフィルム素材
５  ファスナー
６  保冷剤
Ａ  縫製により縫込み補強
Ｂ  生地とベルトの間にはさみこみ、縫い付ける
【図１】
0003125477.tif 000003
【図２】
0003125477.tif 000004
【図３】
0003125477.tif 000005
【図４】
0003125477.tif 000006
【図５】
0003125477.tif 000007
【図６】
0003125477.tif 000008
【図７】
0003125477.tif 000009
【図８】
0003125477.tif 000010
【図９】
0003125477.tif 000011
【図１０】
0003125477.tif 000012
(57)【要約】      （修正有）【課題】表裏いずれの面でも着用できＴＰＯにあわせることのできるリバーシブルメガネフレームを提供する。ツルとノーズパットを反転移動させることにより表裏いずれの面も着用できるリバーシブルメガネを提供する。【解決手段】ツル・ノーズパット部分が表裏反転移動を可能にしたことにより、表裏異なるタイプのメガネフレームが着用できることになる。リバーシブルメガネフレームが着用できることにより、表裏異なる二面のタイプを選択し着用できる。【選択図】図１
0003125408.tif 000002
【実用新案登録請求の範囲】
【請求項１】
メガネフレームに附属するツル・ノーズパット部分が、表裏反転移動することを特徴とする請求項２又は請求項３又は請求項４に記載のリバーシブルメガネフレーム。
【請求項２】
表裏異色、あるいは同色に着色されたリバーシブルメガネフレーム。
【請求項３】
表裏異形、あるいは同形に形成されたリバーシブルメガネフレーム。
【請求項４】
表裏異なる材質、あるいは同質で形成されたリバーシブルメガネフレーム。
【考案の詳細な説明】
【技術分野】
【０００１】
本考案は、ツル・ノーズパット部分が表裏反転移動することにより、表裏異なるいずれの面も違和感なく着用できるリバーシブルメガネフレームに関するものである。
【背景技術】
【０００２】
従来のメガネフレームは、ツル・ノーズパット部が表裏反転移動することが不可能なためリバーシブルとしては使用することが出来ないという欠点があった。
【０００３】
ファッション的にすぐれたメガネフレームは存在したが、異なる二面のタイプを選択し着用できるリバーシブルメガネフレームは存在しなかった。
【特許文献１】特開２００５−１８９４８９号公報
【考案の開示】
【考案が解決しようとする課題】
【０００４】
本考案目的は、表裏いずれの面でも着用できＴＰＯにあわせることのできるリバーシブルメガネフレームを提供することである。
【課題を解決するための手段】
【０００５】
上記目的を達成するためにツル・ノーズパット部分が表裏反転移動を可能にしたことにより、表裏異なるタイプのメガネフレームが着用できることになり問題点を解決した。
【０００６】
従って本考案のリバーシブルメガネフレームが着用できることにより、表裏異なる二面のタイプを選択し着用でき上記目的を達成した。
【考案の効果】
【０００７】
上記のように、本考案のリバーシブルメガネフレームはメガネとして表裏違和感なく着用できることは勿論、表裏異なるいずれの二面もＴＰＯにあわせて着用できるリバーシブルメガネを得ることができるため、経済的にも利用価値が大きいものである。
【考案を実施するための最良の形態】
【０００８】
以下本考案におけるリバーシブルメガネフレームの利用方法は、例えば冠婚葬祭・会議・営業・パーティー・デートと一日のスケジュールが多忙な時、表裏異なる二面のタイプのどちらかを選択し、ツル・ノーズパットを表裏反転移動することで使い分けることにより服装に応じてバリエーション豊かなリバーシブルメガネフレームを着用できることを実現した。
【実施例】
【０００９】
以下、添付図面に従って一実施例を説明する。図１は本考案のリバーシブルメガネフレームを真上からみた図であって、ツル２とノーズパット３が点線の位置まで矢印の方向に反転移動したものである。
【００１０】
図１のリム１・ツル２の斜線部分は、表裏異色に着色したことを示すものである。
【００１１】
図１のリム１・ツル２の凹凸部分は、表裏異形で形成したことを示すものである。
【００１２】
図２はツル２・ノーズパット３を平面的に移動させたものである。
【００１３】
図５はツル２ａが図１のツル２とは異なる方向で図６の可変接続部４とは異なる４ａを用いて点線部分を通過し矢印の方向に反転移動をしようとするものである。
【図面の簡単な説明】
【００１４】
【図１】ツルとノーズパットが点線部分まで移動した所の真上から見た図である。
【図２】ツルとノーズパットを反転移動させる途中の正面図である。
【図３】ツルの部分をリムから取り外した側面図である。
【図４】ノーズパットをリムから取り外した斜側面図である。
【図５】ツルが点線部分を通過し反転移動する途中の側面図である。
【図６】ツルの部分をリムから取り外した正面図である。
【符号の説明】
【００１５】
１        リバーシブルに形成されたリム
２・２ａ  異なる方向で反転移動するリバーシブルで形成されたツル
３        表裏反転移動が可能なノーズパット
４        ツルとリムの可変接続部
４ａ      ４とは異なる図６のツルとリムの可変接続部
５        リムとノーズパットの可変接続部
【図１】
0003125408.tif 000003
【図２】
0003125408.tif 000004
【図３】
0003125408.tif 000005
【図４】
0003125408.tif 000006
【図５】
0003125408.tif 000007
【図６】
0003125408.tif 000008
【手続補正書】
【提出日】平成18年6月9日(2006.6.9)
【手続補正１】
【補正対象書類名】実用新案登録請求の範囲
【補正対象項目名】全文
【補正方法】変更
【補正の内容】
【実用新案登録請求の範囲】
【請求項１】
ツル・ノーズパット部分が表裏反転移動し、いずれの面も違和感なく着用可能としたことを、特徴とするリバーシブルメガネフレーム。
【請求項２】
リム・ツル部分が表裏異色、または異形で形成されたことを特徴とする請求項１記載のリバーシブルメガネフレーム。
(57)【要約】【課題】靴底の踵部分が高くなると不安定となり歩行が困難となるが、踵部分が高くなっても、安定感のある歩行が可能な靴底の構造を得る。【解決手段】足の踵骨の真下の踵の重心と、靴底の踵部の踏み付け接地部分の位置が合致する長さに、踵部分の靴底を一部カットした構造とする事により、踵骨の真下にある踵の重心と靴底の接地部分が一致し、安定感のある歩行が可能な靴底の構造を提案する。【選択図】図２
0003125404.tif 000002
【実用新案登録請求の範囲】
【請求項１】
踵部分を側面から見て斜めにカットされた靴底１において、靴底１の全長に対して靴底１後側端面より１３〜１４％の位置に踵踏み付け接地部分２があるように設計された構造を有する靴底１。
【考案の詳細な説明】
【技術分野】
【０００１】本考案は、ゴム、ＥＶＡ、ウレタン、ＴＰＲ、塩ビ等の素材を使用して構成される靴底１において、靴底１の踵部分を靴底１後側端面より靴底１の全長に対して１３〜１４％の位置に踏み付け接地部分２があるようにカットされ、足の踵骨の真下の位置と踵踏み付け接地部分２の位置が一致することにより、踵骨の真下にある踵の重心と靴底１の重心が一致し、安定感のある快適な歩行が可能な靴底１の構造に関するものである。
【背景技術】
【０００２】従来、靴底１の踵部分をカットした構造の靴としては、ウォーキングシューズ、ジョギングシューズ等があるが、踵部分のカットの角度のみで設計されており、例えば、ウォーキングシューズではカットの角度が２０〜２５度、ジョギングシューズではカットの角度が１０〜１５度で設計されており、足の踵部の重心と靴底１の踵部の接地部分２を、靴底１の全長から計算して一致させた構造ではなく、足の踵部の重心と靴底１の踵部の接地部分２が一致せず、踵が高くなればなるほど歩行に安定感がないという問題点を有していた。
【考案の開示】
【考案が解決しようとする課題】
【０００３】本考案では、踵部分が高くなった場合に歩行が不安定となる靴底１の構造において、踵骨の真下の踵部の重心と靴底１の踵部分のカットされた接地部分２の位置を一致させることにより、踵部分が高くなっても安定感のある快適な歩行が可能な靴底１の構造を提案するものである。
【課題を解決するための手段】
【０００４】上記問題点を解決するため、本考案における靴底１の構造としては、素材がゴム、ＥＶＡ、ウレタン、ＴＰＲ、塩ビ等が使用され、靴底１の成型としては、プレス成型底、射出成型底、貼り合せ加工底が使用され、靴底１の構造としては、靴底１の踵部分を靴底１後側端面より靴底１の全長に対して１３〜１４％の位置に踏み付け接地部分２があるようにカットした構造とする。
【考案の効果】本考案は、上述のとおり構成されているので、次に記載する効果を奏する。【０００５】本考案における靴底１においては、着地時における足の踵の重心と靴底１の接地部分２が一致しているので、歩行時における着地時に安定感がある構造となっている。【０００６】さらには、靴底１の中間部５に軽量のＥＶＡスポンヂを使用することにより、踵部分の高さが高くなっても靴自体の重さを感じないとともに、足の踵の重心と靴底１の接地部分２が合致しているため、踵の高さを気にせずに安心して歩行可能である。
【考案を実施するための最良の形態】
【０００７】靴底１の構造としては、靴底１の踵部分を靴底１後側端面より靴底１の全長に対して１３〜１４％の位置に踏み付け接地部分２があるようにカットした構造とすることにより、靴底１の接地部分２が足の踵骨の真下にある踵の重心と一致させることにより、安定感のある快適な歩行を提案するものである。
【実施例】
【０００８】本考案の実施の形態について一実施例について図面に基づいて説明すると、図１において靴底１の底面部４は、天然ゴムと合成ゴムで構成される加硫ゴムシートをもちいて、中間部５はＥＶＡスポンヂをもちいて、底面部４と中間部５をウレタン系またはクロロプレン系接着剤で貼着加工された靴底１が使用される。
靴底１の構造としては、靴底１の踵部分を靴底１後側端面より靴底１の全長に対して１３〜１４％の位置に踏み付け接地部分２があるようにカットされ、例えば、１３％の位置でカットされた場合は、レディースサイズでいえば靴底１後側端面より接地部分２までの長さは、下記の長さとなる。
（靴のサイズ）    （靴底１後側端面から接地部分２までの長さ）
２２ｃｍ                  ２８．６ｍｍ
２３ｃｍ                  ２９．９ｍｍ
２４ｃｍ                  ３１．２ｍｍ
２５ｃｍ                  ３２．５ｍｍ【０００９】また、図２において、足の踵骨３と靴底１のカットによる接地部分２の位置関係を着用時の側面断面図で説明すると、靴底１後側端面から接地部分２の長さが、靴底１の全長の１３〜１４％となる構造に踵部分をカットすることにより、接地部分２の位置が、足の骨格断面の踵骨３の真下に位置する構造となっています。【００１０】一般的に、足の踵の重心は踵骨３の真下に位置しており、靴底１の接地部分２を靴底１後側端面から靴底１の全長の１３〜１４％に設定することにより、踵の重心と接地部分２が合致し、踵の高い靴底１でも着地時の衝撃と安全性を高めるとともに、靴と足の重心が一致することにより踵の高さを感じない構造となっています。【００１１】底面部４の表面意匠についても、無地だけでなく防滑性等を付与して歩行性の良い凹凸意匠も可能であり、色彩も自由に着色可能であり、中間部５も軽量のＥＶＡスポンヂを使用することにより、踵部分が高くなっても靴をもち上げた際に感じる靴自体の重量もほとんど感じない構造となっています。
【産業上の利用可能性】
【００１２】近年、高齢者のウォーキング人口が増加してきているが、従来のジョギングシューズ及びウォーキングシューズは高齢者を対象とした構造となっていないため、ジョギングシューズでは踵部分への負荷が大きく、ウォーキングシューズでは踵部分が高くなると踵の重心と靴底１の接地部分２が一致せず不安定で歩きにくいが、本考案の靴底１は、踵部分が高くなっても踵の重心と靴底１の接地部分２が一致する構造となっているため、高齢者でも歩行時の踵への衝撃が少なく、踵部分が高くなっても歩行に安定感のあるウォーキングシューズを提案するものである。
【図面の簡単な説明】
【図１】靴底の側面図
【図２】着用時の踵骨と靴底接地部分の位置関係の側面断面図
【符号の説明】
１  靴底
２  接地部分
３  踵骨
４  底面部
５  中間部
【図１】
0003125404.tif 000003
【図２】
0003125404.tif 000004
(57)【要約】      （修正有）【課題】地震発生とともに、いち早く警報を出し、夜間でも音声と照明によって避難誘導ができるようにした地震避難誘導システムを有する地震避難誘導ポールを提供する。【解決手段】地震感知器１・太陽光発電パネル８・照明灯２・回転灯３・放送装置（スピーカー９・サイレン４・ラジオ６・マイク７）を備える地震避難誘導システムによって地震避難誘導ができるようにした地震避難誘導ポールである。【選択図】図２
0003125403.tif 000002
【実用新案登録請求の範囲】
【請求項１】
地震感知器（自動感知スイッチ）・太陽光発電装置・、照明灯・回転灯・放送装置（スピーカー・サイレン・ラジオ等）を備える地震避難誘導システムを有する地震避難誘導ポール。
【考案の詳細な説明】
【技術分野】
【０００１】  本考案は、地震避難誘導システムを有する地震避難誘導ポールに関するものである。
【背景技術】
【０００２】  地震発生により、津波などの警報をいち早く出し、避難誘導をすることが求とめられていた。
特に夜間の発生の場合の避難誘導のための装置の出現が求められ、人命を守る上から緊急かつ切実な問題であった。しかし、それに対する装置は十分でなかった。
【考案の開示】
【考案が解決しようとする課題】
【０００３】  そのために次のような問題点を解決する必要があった。
▲１▼地震発生と共にいち早く、自動的に確実に作動すること。
▲２▼電気の供給が止まっても影響を受けないこと。
▲３▼夜間でも、音声と照明によって避難誘導ができるものであること。
▲４▼サイレン音・マイクでも誘導ができる装置を有すること。
▲５▼ラジオ放送などの情報を伝えられる装置を有すること。
▲６▼常夜灯としても使用できるものであること。
本考案は、以上の問題点を解決するために行うものである。
【課題を解決するための手段】
【０００４】  地震発生を感知して、いち早く照明（２）・回転灯（３）が点灯すると共に、サイレン（４）・誘導音声（５）・ラジオ放送（６）を順次発する装置を有し、さらにマイク（７）でも誘導できる装置があり、電源も太陽光発電パネル（８）（商用電源併用可）を電源としたものである。
【考案の効果】
【０００５】▲１▼太陽光発電パネルで発電した電力をバッテリーに蓄え、必要に応じて電気を取り出して使用するため、商用電源の供給が止まっても影響を受けない。
▲２▼確実に地震を感知し、スイッチが作動し、いち早く音声と照明によって避難誘導ができる。
▲３▼地震感知後、自動的にラジオのスイッチが入り、地震の規模や津波の発生の有無等、スピーカーから放送音が流れる。
▲４▼マイクで避難路や避難場所への誘導ができる。
▲５▼平常時は、常夜灯として使用できる。
▲６▼平常時は、一定時刻（複数回）に音楽またはラジオ放送をスピーカーから流すことができる。
【考案を実施するための最良の形態】
【０００６】  以下、本発明の実施形態を説明する。
▲１▼地震発生と共に地震避難誘導ポールに取り付けた地震感知器（自動スイッチ）（１）により、システムが作動する。
▲２▼スイッチが入ると、照明灯（２）・回転灯（３）が点灯し、さらにサイレン音（４）とスピーカー（９）からも誘導音声が流れ、またラジオ（６）放送による情報も伝えられる。
▲３▼ポールの上部に太陽光発電パネル（８）を付け、また蓄電池（１０）をも電源とする。
▲４▼マイク（７）による誘導もできる。
▲５▼常夜灯としても使用できる。
▲６▼蓄電池の容量を常夜灯で使い切ることがないように、常に一定量だけ残す方法を講ずるので、地震発生時に避難誘導システムは確実に作動する。
【実施例】
【０００７】本案の地震避難誘導ポールは、避難路に沿って設置し、また、地震時だけではなく、定時刻に音楽や、ラジオ放送にも使用できるし、常夜灯として防犯にも貢献できる。
【図面の簡単な説明】
【０００８】
【図１】  本考案の地震避難誘導ポールのシステム構造図
【図２】  本考案のシステムの配線・回路図
【符号の説明】
【０００９】１地震感知器
２照明灯
３回転灯
４サイレン音
５誘導音声
６ラジオ
７マイク
８太陽光発電パネル
９スピーカー
１０蓄電池
１１制御盤
【図１】
0003125403.tif 000003
【図２】
0003125403.tif 000004
(57)【要約】【課題】  節句人形の容器と飾り台を兼用する櫃の外部装飾を行うに当たり、装飾金具など本体以外の装飾品の取り付けを行わずに高級感を持たせる。【解決手段】  建築外装に用いられる立体模様仕上塗材を下塗り用として用い、櫃の構造体の外側に立体的な模様を構成する。その上から仕上げ着色塗装を行って完成品とする。これによって得られる立体的な表面模様を持つ外観によって、装飾金具等を用いずに充分な高級感を得て問題を解決している。【選択図】図１
0003125410.tif 000002
【実用新案登録請求の範囲】
【請求項１】
ひな節句ならびに五月節句人形の収納容器と飾り台を兼用する櫃であって、この櫃は木または合成樹脂製品の容器の表面に装飾用金具を取り付けず、表面に建築外装に用いられる立体模様仕上塗材を用い、櫃の構造体の外側に立体的な模様を構成して、その上から仕上げ着色塗装を行うことによって得られる立体的な表面模様を持つ外観によって、装飾金具等を用いずに充分な高級感を持つことを特徴とする節句人形用装飾櫃である。
【考案の詳細な説明】
【産業上の利用分野】
【０００１】  本考案は節句人形の収納容器と飾り台を兼用する櫃の外観の構成に関するものである。
【背景技術】
【０００２】  従来より節句人形の櫃は木または合成樹脂製品を主とする構造体で、その外側に平面塗装を行い、あるいは紗などの布地を貼り付けた上で平面塗装を行った上で、立体感のある模様を施した装飾用金具の取り付けを行って外観装飾を行っていた。
【考案の開示】
【考案が解決しようとする課題】
【０００３】  平面塗装の場合、縁起物でもある節句人形の付属品として充分な高級感を持たせるために立体感のある模様を施した装飾用金具を取り付ける必要がある。装飾用金具の取り付けは製造原価の上昇につながり、さらに子供が触れる物に金属製の金具を取り付けることは金具による負傷事故の可能性を完全には排除できない。装飾用金具を取り付けずに立体的な模様を持つ表面塗装を行うことで、装飾用金具を用いずに充分な高級感を持たせることができるようになり、前述の欠点を解決しようとするものである。
【課題を解決するための手段】
【０００４】  建築外装に用いられる立体模様仕上塗材を用い、櫃の構造体の外側に立体的な模様を構成する。その上から仕上げ着色塗装を行って完成品とする。これによって得られる立体的な表面模様を持つ外観によって、装飾金具等を用いずに充分な高級感を得て問題を解決している。
【考案の効果】
【０００５】  櫃の外側に凹凸のある立体的な塗装を行うことで、高級感のある外観が得られ、装飾用金具の取り付けが必要なくなる。また、凹凸のある塗装を行なうに当たり、建築外装用の立体模様仕上塗材を用いることによりその部分の下塗りと表面模様の立体化が同時に行える。
【考案を実施するための最良の形態】
【０００６】  紗などの基礎布や基礎紙に立体模様仕上塗材を塗布して乾燥させ、それを板状に切断して本体の外面に貼り付ける。角部などこの板状の部品によって覆われない部分は貼り付け前に通常の平面的下地塗装を行っておく。貼り付けが完成したらその上から仕上げ着色塗装を行って完成品とする。これにより脚部や立体模様を持たない部分などを構造の中に持った場合など、様々なデザインに柔軟に対応が可能となる。
【実施例】
【０００７】  以下、添付図面に従って一実施例を説明する。ハッチングを施した部分は紗などの基礎布や基礎紙に立体模様仕上塗材を塗布して乾燥させ、それを板状に切断したものである。ハッチングを施さない部分は櫃の構造体であり、ハッチングを施した部分を貼り付けてゆく工程の前に、貼り付けが行われない角部などには通常の平面塗装用の下塗りを行っておく。【０００８】  １は櫃の構造体のうち蓋の部分である。この側面長辺に２を、側面短辺に３を、上面に４を各々貼り付ける。５は櫃の構造体のうち本体の部分である。６は本体の部分のうち、立体的な模様を持たない部分である。この他、脚部（図示せず）など立体的な模様を持たない部分を用いることでデザイン性を高めることができる。７は本体側面長辺に貼り付ける。８は本体側面短辺に貼り付ける。２、３、７、８については図示されていない対辺側にも同様に貼り付ける。【０００９】  立体的な模様が完成したら、仕上げ着色塗装を行う。
【図面の簡単な説明】
【００１０】
【図１】  基礎布に建築用立体模様仕上塗材を塗布して乾燥させ、それを板状に切断して本体の外面に貼り付けることを示した等角図である。
【符号の説明】
【００１１】  以下の説明で装飾板とは、基礎布または基礎紙に建築用立体模様仕上塗材を塗布して乾燥させ、それを板状に切断して櫃本体に貼り付けるためのものである。
１．    櫃蓋部分構造物
２．    櫃蓋側面用装飾板・長辺用（対面側にも使用。図示せず）
３．    櫃蓋側面用装飾板・短辺用（対面側にも使用。図示せず）
４．    櫃蓋上部用装飾板
５．    櫃本体部分構造物（立体装飾模様を施す部分）
６．    櫃本体部分構造物（立体装飾模様を施さない部分）
７．    本体側面用装飾板・長辺用（対面側にも使用。図示せず）
８．    本体側面用装飾板・短辺用（対面側にも使用。図示せず）
【図１】
0003125410.tif 000003
(57)【要約】【課題】  本考案は風呂釜より焚き出される湯垢を循環孔において直接捕捉して除去するもので、浴槽内に進入する湯垢を防止する。【解決手段】  本考案は浴槽において、循環孔に鍔を設置し、袋状フィルターを取り付けることにより、焚き出されて浴槽へ侵入する湯垢を防止する。【選択図】図１
0003125405.tif 000002
【実用新案登録請求の範囲】
【請求項１】
循環式風呂釜の浴槽内循環孔から焚き出される湯垢に対し、風呂釜の循環効率を損なわずに捕捉する袋状フィルターを設置し、湯垢を除去する手段を備えたことを特徴とする浴槽の湯垢キャッチャー。
【請求項２】
請求項１において、浴槽内循環孔に当該袋状フィルターの着脱を、自在にする部位である、鍔を具えたことを特徴とする浴槽の湯垢キャッチャー。
【考案の詳細な説明】
【技術分野】
【０００１】  本考案は、循環式風呂釜の循環効率を損なわずに、浴槽内循環孔から焚き出される湯垢を捕捉して除去するフィルターに関するものである。
【背景技術】
【０００２】  循環式風呂釜には自然循環方式（二つ穴）と強制循環方式（一つ穴）があり、いずれも熱交換器のパイプや浴槽との接続配管類がある。当該部位には湯垢がたまるので発生する湯垢除去には風呂釜の自動洗浄機能や水道ホース等による水圧洗浄、および洗浄剤による方法など物理的、または化学的な洗浄を、入浴の終了以降に行なっている。また、焚き出される湯垢を少なくする定型の網目フィルターを設置しているものは、お湯の循環効率を妨げないようにするため網目が粗い。
【考案の開示】
【考案が解決しようとする課題】
【０００３】  湯垢除去の物理的や化学的な方法および既存の定型フィルターは、いずれも残置した湯垢とかフィルターを透過した湯垢は浴槽に焚き出される。湯垢は焚き出される都度捕捉するのが良いが、風呂釜の循環効率を損なうので有効なフィルターを設置できない。また、フィルターが循環孔に取り付けられているものは、お湯の循環効率を妨げるので、ある程度以上網目を細かくできず、湯垢に対して浴槽への侵入防止に限界がある。【０００４】  また、浴槽内循環孔には当該袋状フィルターを有効に取り付ける部位が無い。
【課題を解決するための手段】
【０００５】  請求項１に記載の考案は、お湯の循環効率を損なわないように当該フィルターの透過面積を大きく取り、その面積を大きくした割合をもってフィルターの網目を細かくすることにより極小な湯垢を捕捉することを特徴としている。【０００６】  当該袋状フィルターの形状は硬い材料の定型とせず、浴槽内循環孔から出るお湯の流れに逆らわない袋型とし、素材を軟らかい細かな網目として循環孔付近に漂わせ、必要な透過面積とフィルター効果を備えていることを特徴としている。【０００７】  請求項２記載の考案は、当該袋状フィルターを浴槽内循環孔に着脱する鍔を設置したことを特徴としている。また、当該袋状フィルターの入り口は、環状ゴムで絞る構造であり、浴槽内循環孔に着脱が自在である。
【考案の効果】
【０００８】  本考案は、循環式風呂釜の循環効率を妨げることなく、極小な湯垢であっても循環孔出口で直接捕捉して除去するので、清潔で快適な浴槽環境を得る事ができる。【０００９】  袋状フィルターを取り付ける鍔は浴槽内循環孔に容易に付加でき、当該フィルターを自在に着脱できるので、交換やすすぎが容易で清潔を保てる。
【考案を実施するための最良の形態】
【００１０】  浴槽内循環孔に鍔を固定する。次に、当該鍔と浴槽壁面の間に袋状フィルターを取り付ける。風呂を焚き、循環孔から湯垢が放出されると袋状フィルターは湯垢を捕捉する。
【実施例】
【００１１】  以下、袋状フィルターを取り付けた浴槽内循環孔と当該フィルターを取り付ける鍔を示し、添付図面に従って自然循環方式の一実施例を説明する。１は浴槽本体で、２は浴槽内循環孔出口、３が当該循環孔に取り付けられた袋状フィルターである。袋状フィルターは、取り付け口を絞る環状ゴムにより１２または１４の鍔と９の浴槽壁の間に取り付ける。したがって、当該フィルターの着脱は自在で交換や焚き出された湯垢のクリーニングを容易に行える。４は浴槽内循環孔入口で、５は浴槽内の毛や垢等を吸い込まないように設けられている、定型の網目状フィルターである。【００１２】  ２の循環孔出口に１２の鍔を前もって設置したものは、袋状フィルターを当該部位に直接取り付けるが、２に鍔が無いものは、１４の後付け鍔を１３の鍔固定バンドにより循環孔出口に締め付け固定してから、当該袋状フィルターを取り付ける。
【図面の簡単な説明】
【００１３】
【図１】  本考案の一実施例に係る袋状フィルターを浴槽内循環孔出口に取り付けたもので、正面の上部、やや左から見た図である。
【図２】  本考案の一実施例に係る袋状フィルターを取り付ける鍔を、前もって設置した、浴槽内循環孔出口の断面図である。
【図３】  本考案の一実施例に係る鍔の付いていない浴槽内循環孔出口に、後付鍔を固定バンドで締め付けた、浴室内循環孔出口の断面図である。
【符号の説明】
【００１４】１    浴槽本体                        ８    浴室内
２    循環孔出口                      ９    浴槽壁
３    袋状フィルター                  １０  浴槽内
４    循環孔入口                      １１  循環孔パッキング
５    定型フィルター                  １２  鍔付き循環孔
６    循環式風呂釜                    １３  鍔固定バンド
７    屋外                            １４  後付鍔
【図１】
0003125405.tif 000003
【図２】
0003125405.tif 000004
【図３】
0003125405.tif 000005
(57)【要約】【課題】ユーザーがボールを打ち出した後であっても、ゴルフボールをより明るく輝かせて、ゴルフボールの飛距離および落下位置の監視を容易にさせること。【解決手段】中実ボール体（２０）を有するゴルフボールにおいて、前記中実ボール体（２０）の表面には光反射層（３０）が被覆してあり、前記光反射層（３０）の外周面には透明層（４０）が被覆されている。また、前記光反射層（３０）はフィルム状に形成されており、前記透明層（４０）内には蛍光パウダー（４１）が混合されている。【選択図】図２
0003125438.tif 000002
【実用新案登録請求の範囲】
【請求項１】
中実ボール体（２０）を有するゴルフボールであって、
前記中実ボール体（２０）の表面には光反射層（３０）が被覆してあり、前記光反射層（３０）の外周面には透明層（４０）が被覆してあること
を特徴とするゴルフボール。
【請求項２】
前記光反射層（３０）はフィルム状に形成されることを特徴とする請求項１に記載のゴルフボール。
【請求項３】
前記透明層（４０）内には蛍光パウダー（４１）が混合してあることを特徴とする請求項１に記載のゴルフボール。
【考案の詳細な説明】
【技術分野】
【０００１】
本考案は、ゴルフボールに関するものである。
【背景技術】
【０００２】
近年、ゴルフは国民的スポーツとして普及し、且つゴルフ練習場やゴルフ場の数も増えており、ゴルフが国民的スポーツになったことに伴って、各種のゴルフクラブ及びゴルフボールのようなゴルフ用品が脚光を浴びるようになった。ところで、競争が厳しくなった市場において、製品に如何に特色を与えるかということが市場占有率を向上するキーポイントになるところ、ゴルフボールを例にして説明すれば、純粋の白色の周面を有する従来のゴルフボールでは既にユーザーの要求の変化に対応できるものではなくなったことにより、メーカは更に各種の模様を有するゴルフボールも開発し、これにより、ユーザーの新鮮な感覚を満足させると共に、特殊な模様を有するゴルフボールはユーザーの品位および個人の特色を表し、個人の収蔵品となる価値も付加されている。
【０００３】
従来のゴルフボールは、巻付方式で形成されたボール芯、または中実なボール芯が採用され、表面層が射出成形によって形成されて作製されている。ボール芯の構造と、表面層の材質とがどのように採択される場合であっても、ボールの周面に仕上げ素材を塗布することは一般に行われているものである。
【０００４】
この最後のプロセスは丁寧で複雑なものとなっている。図１は、従来のゴルフボールの断面図である。図１に示すように、従来の純粋の白色の周面を有するゴルフボールＡは、ボール体Ａ１の周面には白色層Ａ２が設けられていた。このような構成でなる従来のゴルフボールＡでは、その外層である白色層Ａ２の光度が不十分なために視認性に劣るものであったことから、ユーザーがゴルフボールＡを用いてゴルフ競技を行う場合、ユーザーがゴルフボールＡを打ち出した後、ゴルフボールＡを捉え難く、ユーザーはゴルフボールＡの飛距離および落下位置を容易に監視することができなかった。
【考案の開示】
【考案が解決しようとする課題】
【０００５】
本考案の主な目的は、ゴルフボールの飛距離および落下位置を容易に監視でき、そして特殊の立体効果を有するゴルフボールを提供することにある。
【課題を解決するための手段】
【０００６】
上記目的を達成するため、本考案は、中実ボール体を有するゴルフボールであって、前記中実ボール体の表面には光反射層が被覆してあり、前記光反射層の外周面には透明層が被覆してあることを特徴とするゴルフボールであることを要旨としている。
【０００７】
本考案は、前記光反射層はフィルム状に形成されることを特徴とする請求項１に記載のゴルフボールであることを要旨としている。
【０００８】
本考案は、前記透明層内には蛍光パウダーが混合してあることを特徴とする請求項１に記載のゴルフボールであることを要旨としている。
【考案の効果】
【０００９】
本考案に係るゴルフボールによれば、次のような効果がある。
（イ）中実ボール体の周面には光反射層が被覆してあり、且つ前記光反射層の外周面には透明層が被覆してあるので、前記光反射層および透明層により、ユーザーがボールを打ち出した後に、ゴルフボールが太陽光や照明光等の光線を反射することによって、より明るく輝くため視認性を向上させることができ、ユーザーはゴルフボールを捉え易く、ゴルフボールの飛距離および落下位置の監視が容易になる。
【００１０】
（ロ）前記光反射層および透明層により、ゴルフボールが打ち出された後に、光反射効果が良いので、ゴルフボールがもっと明るく輝く。
【考案を実施するための最良の形態】
【００１１】
以下、図２乃至図４を参照して本考案の好適な実施の形態を詳細に説明する。図２は、本考案のゴルフボールの断面図、図３は、本考案のゴルフボールの透明層の他の実施例を示す断面図、図４は、図３におけるゴルフボールの部分拡大図である。
【００１２】
図２に示すように、本考案のゴルフボール１０は、主に、中実ボール体２０と、光反射層３０と、透明層４０とを有する。
【００１３】
図２に示すように、前記ゴルフボール１０の中実ボール体２０の表面には光反射層３０が被覆してあり、前記光反射層３０の外周面には透明層４０が被覆してある。
また、図３及び図４に示すように、前記透明層４０内には蛍光パウダー４１を混合させてもよく、ゴルフボール１０の飛び過程中に、中実ボール体２０の表面に被覆された光反射層３０と、蛍光パウダー４１が混合された最も外層の透明層４０とにより、光反射の効果が更に良くなるので、ゴルフボール１０はもっと明るく輝く。
【００１４】
本実施の形態によるゴルフボール１０の前記光反射層３０は、フィルム状に形成されている。
【００１５】
以上のような実施の形態によれば、太陽光や照明光などの光線が、ゴルフボール１０の最も外層である透明層４０から入射して、中実ボール体２０の周面に設けられた光反射層３０によって反射され、この反射された光線が再び透明層４０を通過して外部に放射されるので、ユーザーがゴルフボール１０を打ち出した後であっても、ゴルフボール１０は明るく輝くことによって視認し易くなり、ゴルフボール１０の飛距離および落下位置の監視が極めて容易になる。
【００１６】
また、中実ボール体２０の周面に設けられた光反射層３０と、ゴルフボール１０の最も外層である透明層４０とにより、ゴルフボール１０全体の外観がもっと明るく輝いて見えるので、商品としての視的美感が向上される。
【図面の簡単な説明】
【００１７】
【図１】従来のゴルフボールの断面図である。
【図２】本考案のゴルフボールの断面図である。
【図３】本考案のゴルフボールの透明層の他の実施例を示す断面図である。
【図４】図３におけるゴルフボールの部分拡大図である。
【符号の説明】
【００１８】
１０      ゴルフボール
２０      中実ボール体
３０      光反射層
４０      透明層
４１      蛍光パウダー
Ａ        ゴルフボール
Ａ１      ボール体
Ａ２      白色層
【図１】
0003125438.tif 000003
【図２】
0003125438.tif 000004
【図３】
0003125438.tif 000005
【図４】
0003125438.tif 000006
(57)【要約】【課題】  子、丑、寅・・・など十二支の夫々れの一対を適宜組み合わせて、恋人、夫婦その他末永い友情などの絆として、絵馬や、お守り、ペンダントなどの合わせ札の形態になし、広範囲で使用可能ならしめる製品を提供する。【解決手段】  ハート型をなしており、該ハート型の左右対称面へ夫々れ中央で向き合う状態に十二支の一対を描くと共に、中央部を境にして複数の突起体を交叉状に形成した分割片を作成し、これら両者の突起体を介して十二支の適宜な組合せ構成になした。【選択図】      図１
0003125463.tif 000002
【実用新案登録請求の範囲】
【請求項１】
ハート型の左右対称面へ夫々れ中央で向き合う状態に十二支の一対を描くと共に、中央部を境にして複数の突起体を交叉状に形成した分割片を作成し、これら両者の突起体を介して十二支の適宜な組合せ構成になしたことを特徴とする合わせ札。
【請求項２】
上記分割片の突起体を夫々れの脚足となし、適宜相応の絵が描いてあることを特徴とする請求項１記載の合わせ札。
【請求項３】
請求項１又は２記載の合わせ札を絵馬となしたこと。
【請求項４】
請求項１又は２記載の合わせ札をお守りとなしたこと。
【請求項５】
請求項１又は２記載の合わせ札をペンダントとなしたこと。
【考案の詳細な説明】
【技術分野】
【０００１】
本考案は、十二支の一対が組み合わされた合わせ札に関する。
【背景技術】
【０００２】
従来から、十二支からなる木製パズルが作られているが、夫々れ単独のものを分解してまた嵌め合わせるようにするもので、専ら子どものおもちゃとして使用されているものである。
【特許文献１】特開２０００−１２６４６９号
【考案の開示】
【考案が解決しようとする課題】
【０００３】
そこで、本考案は子、丑、寅・・・など十二支の夫々れの一対を適宜組み合わせて、恋人、夫婦その他末永い友情などの絆として、絵馬や、お守り、ペンダントなどの合わせ札の形態になし、広範囲で使用可能ならしめる製品を提供せんとするものである。
【課題を解決するための手段】
【０００４】
上記合わせ札はハート型をなしており、該ハート型の左右対称面へ夫々れ中央で向き合う状態に十二支の一対を描くと共に、中央部を境にして複数の突起体を交叉状に形成した分割片を作成し、これら両者の突起体を介して十二支の適宜な組合せ構成になしたことを特徴とする。この際、使用する材料はボード、プラスチック、木材、金属など多種多様である。なお、対合面には磁石を取付けてより強固な接合が図られるようになしても良く、また夫々れに紐などを取付けて吊り下げ可能になしたりする。
【考案の効果】
【０００５】
本考案品は十二支の一対を、ハート型の左右対称面へ夫々れ中央で向き合う状態に描くと共に、中央部を境にして分断して各種の組合せ、即ち（１２×１２）÷２＝７２通りに及ぶ多数の対合品が形成されるのであり、これを各自の生まれ年による十二支をもとに夫々れ対合関係を象徴する合わせ札を作成する。而して、相互の友情や信頼関係或いは恋人や夫婦に於ける愛情の絆や、その証などとして相互に持ち合うのであり、平和且つ円満な日常生活に資するものとなる。また絵馬となしたものでは神社へ奉納したりするのである。
【考案を実施するための最良の形態】
【０００６】
以下、図面に示す実施の態様について説明する。
図１は本考案品の正面図、図２及び図３はこれを中央で分解した状態図である。各図に於いて、１はハート型となした合わせ札、２及び３これを中央で左右側へ分離可能になした分割片である。
【０００７】
上記の合わせ札１は、ボード、プラスチック、木材、金属などを使用して作成するのであり、中央部に複数の突起体２ａ、３ａが交叉状に形成されており、嵌め合わせると外れにくいものとなっている。図示例では、分割片２、３の夫々れに対し二つの突起体が形成されているが、片側の１つを他側の二つで抱き込むようにしても良く、また二つと三つなどの如き対応に形成しても良い。
【０００８】
ところで、上記突起体２ａ、３ａ・・・には夫々れ分割片２及び３に描かれた十二支の脚足が描かれるようにするのであり、これにより対合する十二支の夫々れが絡み合った状態になり、結びつきの強さを感じさせるものとなる。
【０００９】
上記した分割片２及び３の対合面には磁石５、６などを埋設し、相互の嵌着がより強固に行われるようになしたり、また各分割片２、３の上部にそれぞれ紐７、８を設けて結び合わせて、吊り下げられるようにする。而して、本考案品は絵馬として神社に奉納したり、或いはお守りとして持ち歩いたり、ペンダントとして肌身に付けたりする。従って、その大きさ寸法などは使用目的に応じて適宜に設定される。絵馬としての使用例ではたて１２ｃｍ、よこ１２ｃｍのものを標準とする。
【図面の簡単な説明】
【００１０】
【図１】本考案に係る合わせ札の正面図である。
【図２】図１の合わせ札を中央で分解した状態図である。
【図３】他の例の合わせ札を中央で分解した状態図である。
【符号の説明】
【００１１】
１    合わせ札
２、３    分割片
２ａ、３ａ  突起体
４    中央部
５、６  磁石
７、８  紐
【図１】
0003125463.tif 000003
【図２】
0003125463.tif 000004
【図３】
0003125463.tif 000005
(57)【要約】      （修正有）【課題】定住外国人や帰国子女など日本語を第一言語としない学習者がパソコンを使って独習するのに視聴覚両面から支援する漢字学習装置を提供する。【解決手段】漢字を表示する画面を設けた表示装置において、漢字に対応する学習者の母語訳の表示制御部を備える。対訳表示制御部は、学習者の母語で対訳をつけて画面に表示し、漢字の読みの音声を発する音声出力部を設け、記憶の強化を図る。表示制御部は、漢字の筆順を順次画面に表示することで、筆順を覚えることを特徴とする。【選択図】図１
0003125418.tif 000002
【実用新案登録請求の範囲】
【請求項１】
漢字を表示する画面を設けた表示装置において、漢字に対応する学習者の母語訳の表示制御部を備え、記憶の強化を図ることを特徴とした漢字学習支援装置
【請求項２】
対訳表示制御部は、請求項１に記載の学習者の母語で対訳をつけて画面に表示し、漢字の読みの音声を発する音声出力部を設け、記憶の強化を図ることを特徴とした漢字学習支援装置
【請求項３】
表示制御部は、漢字の筆順を順次画面に表示することで、筆順を覚えることを特徴とした請求項１に記載の漢字学習支援装置
【考案の詳細な説明】
【技術分野】
【０００１】  本考案は定住外国人や帰国子女など日本語を第一言語としない学習者がパソコンを使って独習するのに視聴覚両面から支援する漢字学習装置に関する。
【背景技術】
【０００２】
【考案が解決しようとする課題】
非漢字圏からの日本語学習者の多くは、漢字が表意文字で、部首毎に意味があることが理解されにくく、漢字習得の隘路となっている。
【０００３】  新聞読解に必要だと言われている常用漢字は、２千字近く、さらに漢字熟語はさらに数が多いため、漢字習得を途中で断念してしまう学習者も多い。
【０００４】  学習者は筆順を軽視しがちである。例えば、口と言う字をワンストロークで書いてしまう。また筆順遵守を強要すると、漢字嫌いになってしまう。
【課題を解決するための手段】
【０００５】  以上の問題を解決するために、本考案は漢字を表示する画面を設けた表示装置において、漢字に対応する学習者の母語訳の表示制御部を備え、記憶の強化を図ることを特徴とした漢字学習支援装置である。
【０００６】    以上の問題を解決するために、本考案は対訳表示制御部は、請求項１に記載の学習者の母語で対訳をつけて画面に表示し、漢字の読みの音声を発する音声出力部を設け、記憶の強化を図ることを特徴とした漢字学習支援装置である。
【０００７】    以上の問題を解決するために、本考案は表示制御部は、漢字の筆順を順次画面に表示することで、筆順を覚えることを特徴とした請求項１に記載の漢字学習支援装置である。
【考案の効果】
【０００８】    学習者は漢字を丸暗記ではなく、部首の一つ一つに意味のある文字であると認識し、記憶の強化を図ることができる。
【０００９】    数多くの常用漢字と漢字熟語を同時に視聴覚両面から効果的に覚えられ、自信をもって漢字独習を継続することができる。
【００１０】    筆順は単なる知識でなく、漢字を覚えるための練習として捕らえるようになる。
【図面の簡単な説明】
【００１１】
【図１】本考案の平面図である。
【図２】本発明の一実施形態における漢字の部首に、意味が対応する母語訳を色分けしてつけた図である。
【図３】本発明の一実施形態における同じ旁の漢字を同時に提出した図である。
【図４】本発明の一実施形態における漢字の一画を色別し、筆順を示す図である。
【符号の説明】
【００１２】１ａ  表示部
２ａ  表示制御部
３ａ  記憶部
４ａ  入力部
１ｂ  部首毎に色別した漢字
２ｂ  色別した各部首に対応する訳語
１ｃ  偏の訳語
２ｃ  偏を色別して強調した漢字
３ｃ  その漢字を使った熟語
４ｃ  熟語の母語訳
１ｄ  漢字の筆順を色別で表した図
【図１】
0003125418.tif 000003
【図２】
0003125418.tif 000004
【図３】
0003125418.tif 000005
【図４】
0003125418.tif 000006
(57)【要約】【課題】肩ベルトを使用しない場合に、肩ベルトが、じゃまにならないかばんを提供すること。【解決手段】  かばん本体１、および前記かばん本体を吊るすための肩ベルト２を有するかばんであって、前記肩ベルト２の中央部を前記かばん本体１に着脱自在に固着する構造を設けた。肩ベルトを使用しないときには、肩ベルトをかばん本体に固定でき、じゃまにならない。【選択図】図１
0003125420.tif 000002
【実用新案登録請求の範囲】
【請求項１】
かばん本体１、および前記かばん本体を吊るすための肩ベルト２を有するかばんであって、前記肩ベルト２の中央部を前記かばん本体１に着脱自在に固着する構造を有するかばん。
【考案の詳細な説明】
【技術分野】
【０００１】
本考案は、かばんに関し、特に肩ベルトを有するかばんに関する。
【背景技術】
【０００２】
従来、肩ベルトを有するかばんは、肩ベルトでかばん本体を肩から吊るすことができ、大変便利である。
【０００３】
しかしながら、肩ベルトを有するかばんでは、肩ベルトを使用せずにかばんの取手を持っている場合には、肩ベルトがかばん本体からたれさがってじゃまになったり、かばんを棚などに載せる際は、肩ベルトがかばん本体と同じ動きをせずに、あばれてじゃまになってしまう場合がある。
【０００４】
また、この問題を解決するため、特開2004-8383にあるように肩ベルトをかばん本体に巻き取る手段を有するかばんが発明されているが、この場合は、巻き取る装置の重量が増すといった問題や構造が複雑になりコストアップにつながるといった問題がある。
【０００５】
【特許文献１】特開２００４−８３８３号公報
【考案の開示】
【考案が解決しようとする課題】
【０００６】
解決しようとする問題点は、上記の従来の技術の問題点を解消し、肩ベルトを使用しない場合にもじゃまにならないかばんを提供することにある。
【課題を解決するための手段】
【０００７】
この考案にかかるかばんは、かばん本体、および前記かばん本体を吊るすための肩ベルトを有するかばんであって、肩ベルトの中央部を前記かばん本体に着脱自在に固着する構造を有することを特徴とするものである。
【考案の効果】
【０００８】
本考案のかばんは、肩ベルトを使用しないときにもかばん本体に肩ベルトが固定され、肩ベルトがじゃまにならない利点がある。また、肩ベルトを使用する場合には、簡単にかばん本体から取り外し使用できる。さらに構造が簡単であり、大幅なコストアップもないという利点もある。
【考案を実施するための最良の形態】
【０００９】
以下、この考案の実施の一形態を、添付図面にしたがって説明する。
【実施例】
【００１０】
図１は、本考案にかかるかばんの一実施例の正面側の斜視図である。
【００１１】
本考案かばん１は、肩ベルト２の中央に肩ベルトをかばん本体に着脱自在に固着する面ファスナー３が設けられ、これは、肩ベルトを使用しない場合に、かばん本体の底面に設けられた面ファスナー３aに結合される構造を有する。なお、肩ベルトの中央に設けられた面ファスナーの位置は、肩ベルトに設けられた肩あての表面に設けられても良く、また、肩ベルトをかばん本体に着脱自在に固着する手段は面ファスナー以外にボタン、スナップボタン、ホック、磁石であっても良い。
【００１２】
さらに、かばん本体の面ファスナーの位置は、かばん本体の底面のほか、かばん本体の側面の下部に設けても良い。
【産業上の利用可能性】
【００１３】
肩ベルトを使用しないときには、肩ベルトをかばん本体に固定でき、じゃまにならない。また、肩ベルトを使用するときには容易にかばん本体から取り外し利用できる。
【図面の簡単な説明】
【００１４】
【図１】かばんの実施方法を示した説明図である。（実施例）
【符号の説明】
【００１５】
１    かばん本体
２    肩ベルト
３    面ファスナー
３a
面ファスナー
【図１】
0003125420.tif 000003